(57)【要約】【課題】登録してある名前でグループに分け、受信画像データおよび送信画像データを同時に確認できるようにした通信装置を提供する。【解決手段】２つ以上の画像データを同時に表示可能な表示部２を備える通信装置１において、記憶装置２４は、送信画像データを含む送信履歴情報および受信画像データを含む受信履歴情報を送受信履歴情報として保持する。表示制御プログラム２９ａは、送信履歴情報に含まれる送信画像データおよび受信履歴情報に含まれる受信画像データを表示部２に同時に表示する。【選択図】図６
2007259348.tif 000002
【特許請求の範囲】
【請求項１】
２つ以上の画像データを同時に表示可能な表示部を備える通信装置において、
送信画像データを含む送信履歴情報および受信画像データを含む受信履歴情報を送受信履歴情報として保持する送受信履歴情報保持手段と、
前記送信履歴情報に含まれる送信画像データおよび前記受信履歴情報に含まれる受信画像データを前記表示部に同時に表示する画像データ表示制御手段と
を有することを特徴とする通信装置。
【請求項２】
前記画像データ表示手段は、同一の通信先との間で送受信した複数件の送受信履歴情報に含まれる送信画像データおよび受信画像データを同時に表示する請求項１記載の通信装置。
【請求項３】
前記画像データ表示手段は、同一の通信先グループとの間で送受信した複数件の送受信履歴情報に含まれる送信画像データおよび受信画像データを同時に表示する請求項１記載の通信装置。
【請求項４】
前記画像データ表示手段は、複数の通信先を選択して１つの通信先グループとし、この通信先グループとの間で送受信した複数件の送受信履歴情報に含まれる送信画像データおよび受信画像データを同時に表示する請求項３記載の通信装置。
【請求項５】
前記送受信履歴情報に含まれる送信画像データおよび受信画像データの中から選択した画像データを送受信した通信先からなるグループを、１つの通信先グループとする通信先グループ登録手段を有する請求項４記載の通信装置。
【請求項６】
前記画像データ表示手段は、電話帳に予め登録されている通信先グループとの間で送受信した複数件の送受信履歴情報に含まれる送信画像データおよび受信画像データを同時に表示する請求項３記載の通信装置。
【請求項７】
前記画像データ表示手段は、１件の送受信履歴情報の内容を一列に表示する一列表示モードを有する請求項１ないし６のいずれか１項に記載の通信装置。
【請求項８】
前記画像データ表示手段は、複数件の送受信履歴情報に含まれる受信画像データおよび送信画像データを並べて表示する画像確認表示モードを有する請求項１ないし７のいずれか１項に記載の通信装置。
【請求項９】
前記画像データ表示手段は、前記一列表示モードと、前記画像確認表示モードとを切り替える表示モード切替手段を有する請求項８記載の通信装置。
【請求項１０】
前記送受信履歴情報の内容が、画像データ，電話番号，送受信識別情報，および送受信日時を含む請求項７または９に記載の通信装置。
【発明の詳細な説明】
【技術分野】
【０００１】
本発明は通信装置に関し、特に表示部を備える通信装置に関する。
【背景技術】
【０００２】
ＦＡＸデータを管理する従来技術として、受信データを担当者毎に管理するシステムが公知である（特許文献１参照）。このシステムでは、ファクシミリ装置から受信した文書データを該ファクシミリ装置のＦＡＸ番号と関連付けて担当者別または担当グループ別または顧客別のいずれかのフォルダに保存するようにしている。
【特許文献１】特開２００５−１２９００５号公報
【発明の開示】
【発明が解決しようとする課題】
【０００３】
上述した従来技術では、受信データのみを管理しているため、受信データおよび送信データを含めたデータのやりとりがどのように行われているのかが分からないという問題点があった。
【０００４】
本発明の目的は、登録してある名前でグループに分け、受信画像データおよび送信画像データを同時に確認できるようにした通信装置を提供することにある。
【課題を解決するための手段および発明の効果】
【０００５】
請求項１記載の通信装置は、２つ以上の画像データを同時に表示可能な表示部を備える通信装置において、送信画像データを含む送信履歴情報および受信画像データを含む受信履歴情報を送受信履歴情報として保持する送受信履歴情報保持手段と、前記送信履歴情報に含まれる送信画像データおよび前記受信履歴情報に含まれる受信画像データを前記表示部に同時に表示する画像データ表示制御手段とを有することを特徴とする。請求項１記載の通信装置によれば、送信履歴情報に含まれる送信画像データおよび受信履歴情報に含まれる受信画像データが表示部に同時に表示されるので、両者を一目することで比較して確認することができる。
【０００６】
請求項２記載の通信装置は、請求項１記載の通信装置において、前記画像データ表示手段は、同一の通信先との間で送受信した複数件の送受信履歴情報に含まれる送信画像データおよび受信画像データを同時に表示することを特徴とする。請求項２記載の通信装置によれば、同一の通信先との間で送受信した複数件の送受信履歴情報に含まれる送信画像データおよび受信画像データが表示部に同時に表示されるので、これらを一目することで比較して確認することができる。
【０００７】
請求項３記載の通信装置は、請求項１記載の通信装置において、前記画像データ表示手段は、同一の通信先グループとの間で送受信した複数件の送受信履歴情報に含まれる送信画像データおよび受信画像データを同時に表示することを特徴とする。請求項３記載の通信装置によれば、同一の通信先グループとの間で送受信した複数件の送受信履歴情報に含まれる送信画像データおよび受信画像データが表示部に同時に表示されるので、これらを一目することで比較して確認することができる。
【０００８】
請求項４記載の通信装置は、請求項３記載の通信装置において、前記画像データ表示手段は、複数の通信先を選択して１つの通信先グループとし、この通信先グループとの間で送受信した複数件の送受信履歴情報に含まれる送信画像データおよび受信画像データを同時に表示することを特徴とする。請求項４記載の通信装置によれば、複数の通信先から選択した１つの通信先グループとの間で送受信した複数件の送受信履歴情報に含まれる送信画像データおよび受信画像データが表示部に同時に表示されるので、これらを一目することで比較して確認することができる。
【０００９】
請求項５記載の通信装置は、請求項４記載の通信装置において、前記送受信履歴情報に含まれる送信画像データおよび受信画像データの中から選択した画像データを送受信した通信先からなるグループを、１つの通信先グループとする通信先グループ登録手段を有することを特徴とする。請求項５記載の通信装置によれば、表示部に表示された送信画像データおよび受信画像データを見ながら画像データを選択することにより、画像データを送受信した通信先からなるグループを選択することができるので、用件毎に通信先のグループ分けが容易に行えるようになる。
【００１０】
請求項６記載の通信装置は、請求項３記載の通信装置において、前記画像データ表示手段は、電話帳に予め登録されている通信先グループとの間で送受信した複数件の送受信履歴情報に含まれる送信画像データおよび受信画像データを同時に表示することを特徴とする。請求項６記載の通信装置によれば、電話帳に予め登録されている通信先グループとの間で送受信した複数件の送受信履歴情報に含まれる送信画像データおよび受信画像データが表示部に同時に表示されるので、これらを一目することで比較して確認することができる。
【００１１】
請求項７記載の通信装置は、請求項１ないし６のいずれか１項に記載の通信装置において、前記画像データ表示手段は、１件の送受信履歴情報の内容を一列に表示する一列表示モードを有することを特徴とする。請求項７記載の通信装置によれば、１件の送受信履歴情報の内容が表示部に一列に表示されるので、１件の送受信履歴情報の内容を一目するだけで確認することができる。
【００１２】
請求項８記載の通信装置は、請求項１ないし７のいずれか１項に記載の通信装置において、前記画像データ表示手段は、複数件の送受信履歴情報に含まれる受信画像データおよび送信画像データを並べて表示する画像確認表示モードを有することを特徴とする。請求項８記載の通信装置によれば、複数件の送受信履歴情報に含まれる受信画像データおよび送信画像データが表示部に並べて表示されるので、複数件の送受信履歴情報に含まれる受信画像データおよび送信画像データを一目するだけで比較して確認することができる。
【００１３】
請求項９記載の通信装置は、請求項８記載の通信装置において、前記画像データ表示手段は、前記一列表示モードと、前記画像確認表示モードとを切り替える表示モード切替手段を有することを特徴とする。請求項９記載の通信装置によれば、表示モード切替手段を設けたことにより、１件の送受信履歴情報の内容を一列に並べて表示する一列表示モードと、複数件の送受信履歴情報に含まれる受信画像データおよび送信画像データを並べて表示する画像確認表示モードとの切り替えが可能となる。
【００１４】
請求項１０記載の通信装置は、請求項７または９に記載の通信装置において、前記送受信履歴情報の内容が、画像データ，電話番号，送受信識別情報，および送受信日時を含むことを特徴とする。請求項１０記載の通信装置によれば、送受信履歴情報の内容に、画像データ，電話番号，送受信識別情報，および送受信日時が含まれるので、表示部を見ることによって送受信履歴情報の内容に含まれる画像データ，電話番号，送受信識別情報，および送受信日時を一目するだけで確認することができる。
【発明を実施するための最良の形態】
【００１５】
登録してある名前でグループに分け、受信データ・送信データを同時に見られるようにするという目的を、送信画像データを含む送信履歴情報および受信画像データを含む受信履歴情報を送受信履歴情報として保持し、送信履歴情報に含まれる送信画像データおよび受信履歴情報に含まれる受信画像データを表示部に同時に表示することにより達成した。
【００１６】
以下、本発明の実施例について図面を参照して説明する。
【実施例１】
【００１７】
ここでは、ＦＡＸ機能を備えた複合機である通信装置の実施例を、図面を参照して説明する。
【００１８】
図１は、本発明の実施例１に係る通信装置１の平面図である。図２は、原稿押さえ板８を開いた状態における、通信装置１の平面図である。図３（Ａ）は通信装置１の正面図であり、図３（Ｂ）は図１のＡ−Ａ断面略図である。
【００１９】
通信装置１は、平面視略正方形に形成されており、装置上面の正面側に操作パネル９が設けられている。また、装置上面には、スキャナ部（画像読取部）３と、原稿押さえ板８とが設けられている。
【００２０】
操作パネル９には、表示部２と、可搬型メディア用操作キー５ａ，コピー用操作キー５ｂ，ＦＡＸ用操作キー５ｃ，スキャン用操作キー５ｄ，上下キー６ａ，左右キー６ｂ，停止／終了キー７，数字キー１０等の操作キー群４（図６参照）とが設けられている。
【００２１】
表示部２は、操作パネル９の幅方向の中央付近に配置されており、スキャナ部３によって読み取った被読取媒体（原稿）の画像データや、コピー機能，ＦＡＸ機能，プリント機能，スキャナ機能等を使用する際の情報を表示する。表示部２の縦幅は、通信装置１本体の奥行からスキャナ部３の読取面保護部材３ａの奥行を減じた長さと略同じに設定されている。つまり、比較的大きな表示部２が設けられており、そのため、個々の画像データを大きく表示できる。また、表示部２は、横長の四角形状に形成されており、画像データを表示する際には、縦長の画像データを複数個（少なくもと３個）、並置して表示できるようになっている。
【００２２】
表示部２は、例えば、図４に示すように、縦幅と横幅との比が３：４（又は９：１６）の単位パネル１９ａ，１９ｂを２つ、横方向に連結して一体化して形成されている。また、２つの単位パネル１９ａ，１９ｂの表面に一体の保護基材２０が設けられている。このようにすることにより、単位パネル１９ａ，１９ｂの境目がなく、見やすい表示部２となっている。なお、単位パネル１９ａ，１９ｂは、液晶表示装置（ＬＣＤ：Liquid Crystal Display）でなる。
【００２３】
ところで、図４では横長の表示部２を用いて説明したが、図５のような縦長の表示部２も同様の構成を採用することができる。
【００２４】
スキャナ部３は、周知のスキャナであり、例えばＡ４サイズの原稿を読み取れる大きさに形成されている。スキャナ部３は、平面視長方形とされており、長辺が横方向を向くように配置されている。スキャナ部３は、図２に示すように、ガラス等からなる読取面保護部材３ａ，密着型イメージセンサ等のイメージセンサ３ｂ，シャフト３ｃ，駆動ベルト３ｄ等から構成される。モータ（図示しない）が駆動ベルト３ｄを駆動することにより、イメージセンサ３ｂが図２の矢印方向に移動し、読取面保護部材３ａ上に配置された原稿の画像データが読み取られる。読み取られた画像データは表示部２にてカラー画像で表示することができ、また、操作キー群４の操作により用紙１２に印刷することもできる。
【００２５】
用紙１２は、例えばＡ４サイズの用紙であり、用紙トレイ１１に堆積されて収納されている。用紙トレイ１１は、図２に示すように、通信装置１に対して正面側から出し入れできるようになっている。このように、用紙１２は、装置本体に対して縦向きに入れられており、それに対してスキャナ部３は横向きになっているため、通信装置１は、全体として平面視略正方形に形成されている。
【００２６】
図３（Ｂ）に示すように、スキャナ部３の下方には画像記録部１３が設けられている。用紙トレイ１１は、画像記録部１３のさらに下方に配置されている。操作キー群４の操作により用紙１２に印刷をする場合、用紙トレイ１１内の用紙１２は最上位の１枚が引き出されて、用紙１２の長手方向にＵターン搬送され、印刷ドラム１３ｂによって画像を印刷される。また、通信装置１の装置正面には排紙口１３ａが形成されており、印刷された用紙１２は排紙口１３ａから装置本体の正面側へ排紙される。このようにすることにより、通信装置１を使用するユーザに向かって用紙１２が出るため、ユーザが用紙１２を受け取りやすいことになる。
【００２７】
次に、図６を用いて、通信装置１の回路ブロック図について説明する。通信装置１は、ＣＰＵ（Central Processing Unit）２７と、ＲＡＭ（Random Access Memory）２８と、各種プログラムを記憶するＲＯＭ（Read Only Memory）２９と、これらを接続するバスライン２６と、バスライン２６に接続されたＩ／Ｏ（Input/Output）２５と、バスライン２６に接続された記憶装置２４（例えばＥＥＰＲＯＭ（Electrically Erasable Programmable Read Only Memory）などの不揮発性メモリや、ハードディスクで構成される。また、フラッシュメモリ等の可搬型メディアであってもよい）と、通信ネットワーク１００に接続されてパーソナルコンピュータ３０との間でデータの送受信をする通信インターフェース（図中では「Ｉ／Ｆ」と表示）２３とを備えて構成される。通信インターフェース２３は、有線通信用インターフェースまたは無線通信用インターフェースのいずれが用いられてもよい。Ｉ／Ｏ２５には、既述した表示部２，スキャナ部３，操作キー群４，画像記録部１３，およびＦＡＸ送受信部２２が接続されている。ＦＡＸ送受信部２２は、公衆回線に接続されている。
【００２８】
ＲＯＭ２９には、表示制御プログラム２９ａ，制御プログラム２９ｂ等のプログラムが記憶されている。表示制御プログラム２９ａは、表示部２に、複数ページ分の画像データを並置して表示するためのプログラムである。また、制御プログラム２９ｂは、操作キー群４の操作に基づいて画像記録部１３，スキャナ部３，ＦＡＸ送受信部２２を稼動させるためのプログラムである。
【００２９】
図７は、記憶装置２４に記憶された電話帳の内容を示す図である。電話帳は、ＦＡＸ機能を使用する際の相手電話番号等の保持を行うとともに、送信画像データおよび受信画像データを履歴情報として保持する役目もする。電話帳には、相手電話番号，登録名，送信画像データ／受信画像データ，送受信識別情報，送受信日時，およびグループ番号（グループ名）からなるレコードが複数格納されている。
【００３０】
図８は、表示制御プログラム２９ａによる画面表示切り替え処理を示すフローチャートである。
【００３１】
図９は、表示制御プログラム２９ａによる新規グループ番号選択・登録処理を示すフローチャートである。
【００３２】
図１０は、時系列表示モードの画面の表示例を示す図である。時系列表示モードでは、相手電話番号または名前（登録名）毎に、原稿（受信画像データまたは送信画像データ），送受信識別情報，および通信結果（送受信日時，結果）が表示される。
【００３３】
図１１は、グループ選択表示モードの画面の表示例を示す図である。グループ選択表示モードでは、グループ名（用件名）または相手名毎に、原稿（受信画像データまたは送信画像データ），送受先／受信先，および通信結果（送受信日時，結果）が表示される。
【００３４】
図１２は、画像確認表示モードの画面の表示例を示す図である。画像確認表示モードでは、複数件の送受信履歴情報に含まれる受信画像データおよび送信画像データが並べて表示される。
【００３５】
図１３は、相手番号選択表示モードの画面の表示例を示す図である。相手番号選択表示モードでは、相手電話番号毎に、名前（登録名），受信件数および送信件数が表示される。
【００３６】
図１２は、用件データ選択表示モードの画面の表示例を示す図である。用件データ選択表示モードでは、相手電話番号または名前（登録名）毎に、原稿（受信画像データまたは送信画像データ），送受信識別情報，および通信結果（送受信日時，結果）が表示される。
【００３７】
次に、このように構成された実施例１に係る通信装置１の動作について、図１〜図１２を参照しながら説明する。
【００３８】
以下、ＦＡＸ受信データをグループ分けして表示する場合を例にとって説明する。
【００３９】
待機画面からユーザがＦＡＸ画像表示を選択すると、表示制御プログラム２９ａは、表示データ（データ、表示構成）を取得し（図８のＳ１０１）、表示モード選択コマンドを受信したかどうかを判断する（図８のＳ１０２）。
【００４０】
表示モード選択コマンドを受信すると（図８のＳ１０２：ＹＥＳ）、表示制御プログラム２９ａは、時系列表示モードであるかグループ選択表示モードであるかどうかを判断する（図８のＳ１０３）。
【００４１】
時系列モードであれば（図８のＳ１０３：ＹＥＳ）、表示制御プログラム２９ａは、表示データ（データ、表示構成）を取得し（図８のＳ１０４）、時系列表示モード（図１０参照）に従い表示する（図８のＳ１０５）。
【００４２】
時系列モードでなければ（図８のＳ１０３：ＮＯ）、表示制御プログラム２９ａは、登録済みグループ表示であるか新規グループ登録表示であるかを判断し（図８のＳ１０６）、登録済みグループ表示であれば、表示データ（データ、表示構成）を取得し（図８のＳ１０７）、グループ選択表示モード（図１１参照）に従い表示する（図８のＳ１０８）。
【００４３】
新規グループ登録表示であれば、表示制御プログラム２９ａは、新規グループの番号を選択し、登録する新規グループ番号選択・登録処理を行う（図８のＳ１０９）。詳細については後述する。
【００４４】
次に、表示制御プログラム２９ａは、上下キー６ａが入力されたかどうかを判断し（図８のＳ１１０）、上下キー６ａが入力された場合には（図８のＳ１１０：ＹＥＳ）、新しい表示データを取得し（図８のＳ１１１）、表示部２の表示内容を変更する（図８のＳ１１２）。
【００４５】
また、表示制御プログラム２９ａは、停止／終了キー７が入力されたかどうかを判断し（図８のＳ１１３）、停止／終了キー７が入力された場合は（図８のＳ１１３：ＹＥＳ）、待機画面に移行する。
【００４６】
さらに、表示制御プログラム２９ａは、画像が選択されたかどうかを判断し（図８のＳ１１４）、画像が選択された場合には（図８のＳ１１４：ＹＥＳ）、新しい表示データ（データ、表示構成）を取得し（図８のＳ１１５）、画像確認表示モード（図１２参照）に従い希望表示内容を変更する（図８のＳ１１６）。
【００４７】
次に、表示制御プログラム２９ａは、左右キー６ｂが入力されたどうかを判断し（図７のＳ１１７）、左右キー６ｂが入力された場合には（図７のＳ１１７：ＹＥＳ）、新しい表示データを取得し（図８のＳ１１８）、表示内容を変更する（図８のＳ１１９）。
【００４８】
また、表示制御プログラム２９ａは、停止／終了キー７が入力されたかどうかを判断し（図８のＳ１２０）、停止／終了キー７が入力された場合は（図８のＳ１２０：ＹＥＳ）、ステップＳ１０３に制御を戻す。
【００４９】
新規グループ番号選択・登録処理（図８のＳ１０９）では、表示制御プログラム２９ａは、相手番号選択または用件データ選択を判断する（図９のＳ２１０）。相手番号選択であれば、表示制御プログラム２９ａは、表示データ（データ、表示構成）を取得し（図９のＳ２１１）、相手番号選択表示モード（図１３参照）に従い相手番号一覧を表示する（図９のＳ２１２）。
【００５０】
用件データ選択であれば、表示制御プログラム２９ａは、表示データ（データ、表示構成）を取得し（図９のＳ２１３）、用件データ選択表示モード（図１４参照）に従いデータ一覧を表示する（図９のＳ２１４）。
【００５１】
次に、表示制御プログラム２９ａは、番号（データ）を選択し（図９のＳ２１５）、番号が選択されたならば（図９のＳ２１５：ＹＥＳ）、グループへ登録する（図９のＳ２１６）。
【００５２】
番号（データ）が選択されなければ（図９のＳ２１５：ＮＯ）、表示制御プログラム２９ａは、停止／終了キー７が入力されたかどうかを判断し（図９のＳ２１７）、停止／終了キー７が入力されたならば（図９のＳ２１７：ＹＥＳ）、終了する。
【００５３】
停止／終了キー７が入力されていなければ（図９のＳ２１７：ＮＯ）、表示制御プログラム２９ａは、上下キー６ａが入力されたかどうかを判断し（図９のＳ２１８）、上下キー６ａが入力されたならば（図９のＳ２１８：ＹＥＳ）、新しい表示データを取得し（図９のＳ２１９）、表示内容を変更し（図９のＳ２２０）、ステップＳ２１５に制御を戻す。
【００５４】
上下キー６ａが入力されていなければ（図９のＳ２１８：ＮＯ）、表示制御プログラム２９ａは、選択を終了するかどうかを判断し（図９のＳ２２１）、選択を終了するのでなければ（図９のＳ２２１：ＮＯ）、ステップＳ２１５に制御を戻す。
【００５５】
選択を終了するのであれば（図９のＳ２２１：ＹＥＳ）、表示制御プログラム２９ａは、グループ名を入力して記憶し（図９のＳ２２２）、終了する。
【００５６】
実施例１によれば、受信画像データと送信画像データとを同時に確認できることで、現在ＦＡＸしている相手とのやりとりの状況を一目で確認することができるという効果が得られる。
【００５７】
また、用件毎のグループ分けができるようにしたので、ある用件でＦＡＸしている相手とのやりとりの状況を一目で確認することができるという効果が得られる。
【００５８】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００５９】
【図１】本発明の実施例１に係る通信装置を示す平面図。
【図２】原稿押さえ板を開いた状態における通信装置の平面図。
【図３】通信装置の（Ａ）正面図および（Ｂ）断面略図
【図４】表示部の拡大図。
【図５】スキャナ部の側方に表示部を配置した通信装置の例。
【図６】通信装置の回路ブロック図。
【図７】電話帳の内容を示す図。
【図８】表示制御プログラムによる画面表示切り替え処理を示すフローチャート。
【図９】表示制御プログラムによる新規番号選択・登録処理を示すフローチャート。
【図１０】時系列表示モードの画面の表示例を示す図。
【図１１】グループ選択表示モードの画面の表示例を示す図。
【図１２】画像確認表示モードの画面の表示例を示す図。
【図１３】相手番号選択表示モードの画面の表示例を示す図。
【図１４】用件データ選択表示モードの画面の表示例を示す図。
【符号の説明】
【００６０】
１  通信装置
２  表示部
３  スキャナ部
４  操作キー群
５ａ  可搬型メディア用操作キー
５ｂ  コピー用操作キー
５ｃ  ＦＡＸ用操作キー
５ｄ  スキャン用操作キー
６ａ  上下キー
６ｂ  左右キー
７  停止／終了キー
９  操作パネル
１０  数字キー
２２  ＦＡＸ送受信部
２４  記憶装置（送受信履歴情報保持手段）
２９ａ  表示制御プログラム（画像データ表示制御手段）
【図３】
2007259348.tif 000003
【図４】
2007259348.tif 000004
【図５】
2007259348.tif 000005
【図６】
2007259348.tif 000006
【図７】
2007259348.tif 000007
【図８】
2007259348.tif 000008
【図９】
2007259348.tif 000009
【図１０】
2007259348.tif 000010
【図１１】
2007259348.tif 000011
【図１２】
2007259348.tif 000012
【図１３】
2007259348.tif 000013
【図１４】
2007259348.tif 000014
【図１】
2007259348.tif 000015
【図２】
2007259348.tif 000016